(57)【要約】【課題】プリズムの前後に配置されるレンズの物理的な干渉を防ぐとともに、プリズムとプリズムの前後に配置されるレンズの光軸が正確に位置合わせされた撮影レンズを提供する。【解決手段】撮影レンズ１２は、プリズム２６によって光路を折り曲げ、プリズム２６の後方に配置された第２レンズ群Ｇ２と第３レンズ群Ｇ３を移動させることにより変倍を行うズームレンズである。プリズム２６に隣接する負レンズ２７には、プリズム２６側に外縁に沿って円状の切り欠き３６が設けられる。変倍時に、第２レンズ群Ｇ２がプリズム２６に近接した位置に移動されると、切り欠き３６に第２レンズ群Ｇ２の端が入り込む。【選択図】図２
2011043679.tif 000002
【特許請求の範囲】
【請求項１】
反射部材によって光路を折り曲げ、前記反射部材の後方に配置されたレンズ群を移動させて変倍を行うズームレンズにおいて、
前記反射部材に隣接するレンズの前記反射部材側に、外縁に沿った切り欠きを設けたことを特徴とするズームレンズ。
【請求項２】
前記切り欠きは、前記反射部材の前方に隣接して配置されたレンズに設けられていることを特徴とする請求項１記載のズームレンズ。
【請求項３】
前記切り欠きは、前記反射部材の後方に隣接して配置されたレンズに設けられていることを特徴とする請求項１または２記載のズームレンズ。
【請求項４】
前記反射部材の前方には１枚の負レンズだけが配置されることを特徴とする請求項１ないし３いずれかに記載のズームレンズ。
【請求項５】
前記反射部材と光軸に対して固定して配置された固定レンズとからなり、最も被写体側に位置する第１レンズ群を備え、
前記第１レンズ群は、全体として負の屈折力を有することを特徴とする請求項１ないし４いずれかに記載のズームレンズ。
【請求項６】
前記反射部材の後方に、光軸に対して移動自在に設けられた第２レンズ群を備え、
前記第２レンズ群は、全体として正の屈折力を有することを特徴とする請求項１ないし５いずれかに記載のズームレンズ。
【請求項７】
撮影画面は長方形であり、
前記反射部材は、前記撮影画面の短辺に垂直な方向に前記光路を折り曲げることを特徴とする請求項１ないし６いずれかに記載のズームレンズ。
【請求項８】
撮影画面は長方形であり、
前記撮影画面の辺に沿って外縁部分が切除され、非回転対称な形状に形成されたレンズを備えることを特徴とする請求項１ないし７いずれかに記載のズームレンズ。
【請求項９】
被写体側から順に、負の屈折力を有し、前記反射部材を含む第１レンズ群と、正の屈折率を有する第２レンズ群と、負の屈折力を有する第３レンズ群と、正の屈折率を有する第４レンズ群とからなり、前記第２レンズ群及び前記第３レンズ群を光軸に沿って移動させることにより変倍を行うことを特徴とする請求項１ないし８いずれかに記載のズームレンズ。
【請求項１０】
請求項１ないし９いずれかに記載のズームレンズを備えることを特徴とする撮像装置。
【発明の詳細な説明】
【技術分野】
【０００１】
本発明は、ズームレンズ及びズームレンズを搭載した撮像装置に関するものであり、さらに詳しくは、被写体からの光をプリズム等で折り曲げて撮影すると同時に、プリズム等よりも後側に配置されたレンズを移動させて変倍を行うズームレンズ及びこれを用いた撮像装置に関する。
【背景技術】
【０００２】
ＣＣＤ等の撮像素子によって被写体を撮像するデジタルカメラが広く普及している。近年では、携帯性を向上させるために小型化したデジタルカメラが普及しており、特に薄いカード型のデジタルカメラが普及している。また、デジタルカメラは、ノート型パソコンや携帯電話機等の小型の携帯機器にも搭載されるようになり、さらなる小型化，薄型化が求められている。
【０００３】
小型，薄型のデジタルカメラに搭載される撮影レンズとしては、プリズムによって光路を９０度折り曲げることで、薄く狭いスペースに収められるようにした撮影レンズが知られている。このようにプリズムによって光路を折り曲げる撮影レンズでは、プリズムの前側（被写体側）に配置されるレンズと、プリズムの後側（像側）に配置されるレンズとが互いに垂直に配置される。このため、プリズムの前後に配置されるレンズ、あるいはこれらのレンズを支持する部材が物理的に干渉してしまうことがある。こうしたことから、プリズムの前後に配置されるレンズの外縁部分を一部切り欠き、非回転対称な形状とすることによって、レンズ同士の物理的な干渉を避けるようにした撮影レンズが知られている（特許文献１，２）。
【０００４】
また、プリズムによって光路を折り曲げるタイプの撮影レンズでは、プリズムの前後に配置されるレンズ同士の物理的干渉を避ける目的以外にも、レンズに切り欠きを設け、非回転対称な形状のレンズを用いる例が知られている。例えば、プリズムの後側に配置されるレンズの径が大きくなると、デジタルカメラの薄型化の妨げになる。このため、プリズムの後側に配置されるレンズを、長方形の画面に合わせて、画面長辺方向に沿って切り欠きを設け、いわゆる小判型の形状とすることにより薄型化を図ったものが知られている（特許文献３）。
【先行技術文献】
【特許文献】
【０００５】
【特許文献１】特許第４０１６２１１号
【特許文献２】特開２００５−１２８０６５号公報
【特許文献３】特開２００５−１２１７９９号公報
【発明の概要】
【発明が解決しようとする課題】
【０００６】
上述のように、外縁部分に切り欠きが設けられた非回転対称な形状のレンズを撮影レンズに用いると、所望の光学性能が得られないことがある。例えば、レンズの前後面が偏芯していたり、レンズを支持する部材の加工誤差、組み立て時の誤差等の製造時の誤差が生じることがある。このとき、撮影レンズを構成するレンズが回転対称な形状のレンズであれば、撮影レンズの組み立て時に、撮影レンズを構成するレンズを各々回転させることにより、こうした誤差を吸収し、より所望の光学性能に近い撮影レンズとすることができる。しかしながら、非回転対称な形状のレンズを撮影レンズに用いると、切り欠きの形状や方向性によってレンズの配置が制限されるため、回転対称なレンズのように光軸中心に回転させることによる微調整ができず、所望の光学性能が得られないことがある。
【０００７】
また、プリズムによって光路を９０度折り曲げるタイプの撮影レンズでは、プリズムの光軸と、プリズムの前後に配置されるレンズの光軸の位置合わせ精度が光学性能に大きく影響する。しかし、プリズムの前後に配置されるレンズ同士の物理的干渉避けるために、外縁部分に切り欠きが設けられた非回転対称なレンズをプリズムの前後に配置すると、これらのレンズとプリズムの相対的な位置関係は切り欠きの位置や形状によって定まり、前述のようなレンズの回転による光軸の位置合わせはでず、所望の光学性能を得ることが難しくなる。
【０００８】
本発明は上述の点に鑑みてなされたものであり、プリズムによって光路を折り曲げる撮影レンズにおいて、プリズムの前後に配置されるレンズの物理的な干渉を防ぐことにより全長が短く構成され、同時に、組み立て時に、プリズムとプリズムの前後のレンズの光軸を正確に位置合わせした撮影レンズを提供することを目的とする。また、この撮影レンズを備えた撮像装置を提供することを目的とする。
【課題を解決するための手段】
【０００９】
本発明のズームレンズは、反射部材によって光路を折り曲げ、前記反射部材の後方に配置されたレンズ群を移動させて変倍を行うズームレンズであり、前記反射部材に隣接するレンズの前記反射部材側に、外縁に沿った切り欠きを設けたことを特徴とする。なお、「前記反射部材側に」とは、反射部材に向けられる面を含めた厚さの一部分であることを意味する。また、レンズは元来、光軸を中心に対称な円形に形成されるものであり、「外縁に沿った」とは、レンズ元来の円状の端に沿っていることを言う。
【００１０】
また、前記切り欠きは、前記反射部材の前方に隣接して配置されたレンズに設けられていることを特徴とすることが好ましい。
【００１１】
また、前記切り欠きは、前記反射部材の後方に隣接して配置されたレンズに設けられていることが好ましい。
【００１２】
また、前記反射部材の前方には１枚の負レンズだけが配置されることが好ましい。
【００１３】
また、前記反射部材と光軸に対して固定して配置された固定レンズとからなり、最も被写体側に位置する第１レンズ群を備え、前記第１レンズ群は、全体として負の屈折力を有することが好ましい。
【００１４】
また、前記反射部材の後方に、光軸に対して移動自在に設けられた第２レンズ群を備え、前記第２レンズ群は、全体として正の屈折力を有することが好ましい。
【００１５】
また、撮影画面は長方形であり、前記反射部材は、前記撮影画面の短辺に垂直な方向に前記光路を折り曲げることが好ましい。
【００１６】
また、撮影画面は長方形であり、前記撮影画面の辺に沿って外縁部分が切除され、非回転対称な形状に形成されたレンズを備えることが好ましい。
【００１７】
また、被写体側から順に、負の屈折力を有し、前記反射部材を含む第１レンズ群と、正の屈折率を有する第２レンズ群と、負の屈折力を有する第３レンズ群と、正の屈折率を有する第４レンズ群とからなり、前記第２レンズ群及び前記第３レンズ群を光軸に沿って移動させることにより変倍を行うことが好ましい。
【００１８】
また、本発明の撮像装置は、上述のズームレンズを備えることを特徴とする。
【発明の効果】
【００１９】
本発明によれば、プリズムによって光路を折り曲げる撮影レンズにおいて、プリズムの前後に配置されるレンズの物理的な干渉を防ぐとことにより全長が短く構成され、同時に、組み立て時に、プリズムとプリズムの前後に配置されるレンズの光軸が正確に位置合わせされた撮影レンズを提供することができる。また、この撮影レンズを備えることにより、より小型化，薄型化された撮像装置を提供することができる。
【図面の簡単な説明】
【００２０】
【図１】デジタルカメラの外観と撮影レンズの配置を示す説明図である。
【図２】撮影レンズの構成を示す断面図である。
【図３】切り欠きの様子を示す説明図である。
【図４】プリズムの後方のレンズに切り欠きを設けた例を示す説明図である。
【図５】レンズの外形を撮影画面に応じて非回転対称な形状に形成する例を示す説明図である。
【図６】切り欠きの他の様態を示す説明図である。
【図７】実施例１の撮影レンズの断面図である。
【図８】実施例１の変形例の撮影レンズの断面図である。
【図９】実施例２の撮影レンズの断面図である。
【図１０】実施例３の撮影レンズの断面図である。
【図１１】実施例４の撮影レンズの断面図である。
【発明を実施するための形態】
【００２１】
図１に示すように、デジタルカメラ（撮像装置）１１は、被写体からの光を光電変換することによって被写体の画像データを取得するデジタルカメラであり、撮影レンズ１２、撮像素子１３等を備える。このデジタルカメラ１１は、薄型のデジタルカメラであり、縦方向（Ｖ方向）や横方向（Ｈ方向）に比べて厚さ方向（Ｗ方向）が薄い。デジタルカメラ１１の前面は、ほぼ長方形に形成され、Ｖ方向に比べてＨ方向が長い。また、デジタルカメラ１１の撮影画面は、Ｖ方向に比べてＨ方向が長い長方形の範囲となっている。
【００２２】
撮像素子１３は、撮影レンズ１２の後端に設けられ、撮影レンズ１２によって長方形状の撮像面１４に結像された像を光電変換することにより、被写体の画像データを出力する。また、撮像素子１３は、撮像面１４の長辺方向がＷ方向と平行に、かつ短辺方向がＶ方向と平行になるように配置される。
【００２３】
撮影レンズ１２は、被写体から入射する光の光路をＨ方向に９０度折り曲げて撮像面１４に結像させるレンズであり、直方体状のケースに収められ、長辺がＨ方向に沿うように、横置きの状態でデジタルカメラ１１内に配置される。また、撮影レンズ１２はいわゆるズームレンズであり、撮影レンズ１２を構成するレンズ又はレンズ群を移動させ、レンズの間隔を変化させることによって変倍を行う。さらに、撮影レンズ１２を構成するレンズのうち、最も被写体側に配置されるレンズは、撮影画面に応じて、Ｖ方向に比べてＨ方向が長い長方形の範囲がデジタルカメラ１１の前面に露呈される。
【００２４】
図２に示すように、撮影レンズ１２は、前方（被写体側）から順に、第１〜第４レンズ群Ｇ１〜Ｇ４からなる。第１レンズ群Ｇ１は、撮影レンズ１２を構成するレンズ群Ｇ１〜Ｇ４のうち、最も被写体側に配置されるレンズ群であり、光路を９０度折り曲げるプリズム（反射部材）２６と、このプリズム２６の前方に配置される負レンズ（第１のレンズ）２７からなる。また、第１レンズ群Ｇ１を構成するレンズ等は、全て光軸Ｌ０に対して固定して配置される。
【００２５】
第２レンズ群Ｇ２は、複数のレンズで構成され、第１レンズ群Ｇ１の後方（像側）に配置されるとともに、光軸Ｌ０に沿って移動自在に設けられる。撮影レンズ１２は、この第２レンズ群Ｇ２と後述する第３レンズ群Ｇ３を光軸Ｌ０に沿って移動させ、撮影レンズ１２を構成する各レンズ群２１〜２４の間隔を調節することにより変倍を行う。例えば、撮影レンズ１２は、第２レンズ群Ｇ２が第１レンズ群Ｇ１から最も遠い位置に移動されたときに広角端となり、焦点距離は最も短なる。また、第２レンズ群Ｇ２が第１レンズ群Ｇ１に最も近い位置に移動されたときに望遠端となり、焦点距離は最も長くなる。
【００２６】
第３レンズ群Ｇ３は、絞り２８と複数のレンズから構成され、第２レンズ群Ｇ２の後方に、光軸Ｌ０に沿って移動自在に設けられる。また、前述のように、第３レンズ群Ｇ３は第２レンズ群Ｇ２の移動に連動して移動され、撮影レンズ１２の変倍を担う。
【００２７】
第４レンズ群Ｇ４は、最も像側に配置されるとともに、光軸Ｌ０に対して固定して配置される。また、第４レンズ群Ｇ４は、全体として正の屈折力を有し、被写体からの光を撮像素子１３のカバーガラス３１を通して撮像面３２に結像させる。
【００２８】
撮影レンズ１２は、上述のように構成されるとともに、プリズム２６の前後に隣接して配置されるレンズのうち、少なくとも一方のレンズのプリズム２６側に、外縁に沿った切り欠きが設けられる。例えば、図３（Ａ）に示すように、撮影レンズ１２では、負レンズ２７の外縁部分に切り欠き３６が設けられている。この切り欠き３６は、負レンズ２７のプリズム２６側外縁部分に設けられ、負レンズ２７の径方向にほぼ垂直な円環状の断面３７ａと、負レンズの径方向にほぼ平行かつ光軸Ｌ０に対してほぼ垂直な円環状の断面３７ｂによって形成される。
【００２９】
また、図３（Ｂ）に示すように、切り欠き３６は、径方向の大きさ（断面３７ｂの径方向の長さ）や光軸Ｌ０方向の大きさ（断面３７ａの光軸Ｌ０方向の長さ）は、第２レンズ群Ｇ２がプリズム２６に最も近接する位置に移動されたときに、第２レンズ群Ｇ２の端が切り欠き３６に入り込む大きさに形成される。したがって、切り欠き３６の径方向の大きさは、第２レンズ群Ｇ２の径及び第２レンズ群Ｇ２を支持する支持部材３８の厚さに応じて定められ、第２レンズ群Ｇ２がプリズム２６に最も近接する位置に移動されたときに、支持部材３８を含む第２レンズ群Ｇ２の端と負レンズ２７の端が物理的に干渉せずに、切り欠き３６に入り込む大きさに形成される。同様に、切り欠き３６の光軸Ｌ０方向の大きさは、第２レンズ群Ｇ２の径に応じて定められ、第２レンズ群Ｇ２がプリズム２６に最も近接する位置に移動されたときに、支持部材３８を含む第２レンズ群Ｇ２の端と負レンズ２７の端が物理的に干渉せずに、切り欠き３６に入り込む大きさに形成される。
【００３０】
こうして負レンズ２７に切り欠き３６が設けられていることによって、第２レンズ群Ｇ２は負レンズ２７に衝突せずに、プリズム２６により近接する位置に移動することができる。このため、撮影レンズ１２は、同じ全長の撮影レンズと比較して、よりズーム比が大きく、同じズーム比のレンズと比較して、より全長を短い。
【００３１】
さらに、切り欠き３６の形状は外縁に沿った円状であり、負レンズ２７に対して等方的な形状となっている。このため、負レンズ２７は第２レンズ群Ｇ２に対して切り欠き２６の位置や向きを調節して配置する必要がない。したがって、撮影レンズ１２を組み立てるときに、プリズム２６の光軸Ｌ０に負レンズ２７の光軸Ｌ０ができるだけ正確に一致するように、負レンズ２７を光軸Ｌ０のまわりに回転させることができ、撮影レンズ１２の光学性能をより良好にすることができる。
【００３２】
なお、上述の実施形態では、切り欠き２６をプリズム２６の前方に隣接して配置された負レンズ２７の外縁部分に設ける例を説明したが、切り欠き３６は、プリズム２６の後方に隣接して配置するレンズの外縁部分に設けても良く、プリズム２６の前方に隣接して配置されるレンズとプリズム２６の後方に隣接して配置されるレンズの双方に設けても良い。
【００３３】
例えば、図４（Ａ）に示す撮影レンズ４１ように、負レンズ２７には切り欠き３６を設けずに、第２レンズ群Ｇ２のレンズのうち、プリズム２６に隣接して配置されるレンズ４２（第２のレンズ）のプリズム２６側に、外縁に沿った切り欠き４３を設ける。この場合、切り欠き４３は、負レンズ２７に設けた切り欠き３６と同様に、負レンズ２７とレンズ４２とが、第２レンズ群Ｇ２の移動によって物理的に干渉しない形状及び大きさに設ける。こうして、プリズム２６の後方に隣接して配置されるレンズ４２に切り欠き４３を設ける場合にも、プリズム２６の前方に隣接して配置される負レンズ２７に切り欠き３６を設ける場合と同様に、撮影レンズ１２を、ズーム比を大きく、かつ全長を短く構成することができる。また、前述と同様に、撮影レンズ１２を組み立てるときには、負レンズ２７や第２レンズ群Ｇ２の光軸Ｌ０がプリズム２６の光軸Ｌ０にできるだけ正確に一致するように、切り欠き４３の形状に束縛されず、負レンズ２７や第２レンズ群Ｇ２（レンズ４２）を光軸Ｌ０まわりに回転させることができる。このため、撮影レンズ４１は光学性能がより良好になる。
【００３４】
また、例えば、図４（Ｂ）に示す撮影レンズ４６のように、プリズム２６の前方に配置される負レンズ２７と、プリズム２６の後方にプリズム２６に隣接して配置されるレンズ４２の双方に、それぞれ切り欠き３６，４３を設けても良い。この場合、負レンズ２７またはレンズ４２の一方にだけ切り欠き３６，４３を設ける場合と比較して、第２レンズ群Ｇ２をプリズム２６にさらに近接した位置にまで移動させることができるようになる。このため、負レンズ２７とレンズ４２の双方に、切り欠き３６，４３を設けると、撮影レンズ４６は、撮影レンズ１２，４１よりもさらにズーム比が大きく、全長を短くすることができる。
【００３５】
なお、薄型のデジタルカメラ１１に搭載する撮影レンズでは、長方形の撮影画面の長辺方向，短辺方向に沿ってレンズの外縁部分を切除し、レンズの外形をいわゆる小判型や長方形状に形成することによって、撮影レンズの小型化，薄型化を図ることができる。このように外形が小判型に形成されたレンズを用いる場合にも、上述の実施形態で説明したように、プリズム２６前後に隣接して配置されるレンズの少なくとも一方のレンズのプリズム２６側に、外縁に沿った切り欠きを設けることが好ましい。
【００３６】
例えば、図５に示すように、撮影レンズ５１は、上述の実施形態の撮影レンズ１２と同様に第１〜第４レンズ群２１〜２４から構成され、最も被写体側に配置され、デジタルカメラ１１の前面に露呈される負レンズ５２の外形が撮影レンズ１２と異なる。前述のように、デジタルカメラ１１の撮影画面は、Ｈ方向に長く、Ｖ方向に短い。このため、負レンズ５２は、撮影画面に相当する長方形５３の長辺方向に沿って、撮影画面５３の光束が通過しない余剰部分５４ａ，５４ｂを切除し、小判型に形成される。同時に、負レンズ５２のプリズム２６側に、外縁に沿った円状の切り欠き５６が設けられる。この切り欠き５６は、余剰部分５４ａ，５４ｂの切除により、これに対応する部分が欠けている点を除けば、上述の実施形態の切り欠き３６と同様にして設けられるものである。
【００３７】
このように、負レンズ５２の外形を小判型に形成すると、Ｖ方向に撮影レンズ５２の厚みが抑えられるが、撮影レンズ５１はＨ方向には小型化されない。しかし、負レンズ５２には、プリズム２６側の外縁部分に切り欠き５６が設けられていることによって、上述の実施形態の撮影レンズ１２と同様に、第２レンズ群Ｇ２をプリズム２６により近接した位置に移動させることができる。これにより、同じズーム比の撮影レンズと比較して、撮影レンズ５１は全長を短くすることができ、Ｈ方向に小型化される。同時に、切り欠き５６が外縁に沿った円状であることによって、切り欠き５６の形状によって制限されること無く、できるだけプリズム２６の光軸Ｌ０と負レンズ５２の光軸Ｌ０を一致させるように光軸Ｌ０周りに回転して負レンズ５２を配置することができる。このため、撮影レンズ５１の光学性能はより良好になる。
【００３８】
また、薄型のデジタルカメラ１１では、プリズム２６の後方に配置されるレンズを上述と同様に小判型に形成することにより、撮影レンズ１２をＶ方向またはＷ方向に小型化することがある。こうした場合にも、上述と同様にして、プリズム２６の前後に隣接して配置されるレンズのうち、少なくとも一方の外縁部分に、これらの物理的な干渉を避ける切り欠きを設けることが好ましい。この場合にも、撮影レンズの全長を短くし、Ｈ方向に小型化することができる。また、プリズム２６の前後のレンズを、プリズムと光軸を正確に一致させるように回転して配置することができ、光学性能も良好になる。
【００３９】
なお、上述の実施形態では、デジタルカメラ１１内に、長手方向がＨ方向となるように横長の姿勢で撮影レンズ１２を配置する例を説明したが、これに限らず、長手方向がＶ方向と平行になるように縦長の姿勢で撮影レンズを配置しても良い。この場合にも、上述の実施形態と同様に、プリズム２６の前後に隣接して配置されるレンズのうち、少なくとも一方のレンズの外縁部分に切り欠きを設けることで、全長が短くし、ズーム比を大きくすることができる。また、プリズム２６の前後に配置されるレンズやレンズ群を光軸Ｌ０の周りに回転して配置することができ、撮影レンズの光学性能をより良好にすることができる。
【００４０】
また、前述のように、撮影レンズ１２を構成するレンズを小判型に形成する場合にも撮影レンズ１２を縦長の姿勢で配置しても良い。但し、このようにレンズの余剰部分を切除して、非回転対称な形状とするときには、撮影レンズ１２を縦長の姿勢に配置する場合よりも、撮影レンズ１２を横長の姿勢に配置する場合の方が、プリズム２６の前後に隣接して配置されるレンズの外縁部分に切り欠きを設けることによって、より全長を短く、ズーム比を大きくすることができる。例えば、撮影レンズ１２で、負レンズ２７のＶ方向の箇所を切除して小判型に形成するときに、撮影レンズ１２を縦長の姿勢に配置すると、プリズム２６後方のレンズの端は負レンズ２７のＶ方向の箇所（切除された部分）に近接するが、撮影レンズ１２を横長の姿勢に配置すると、プリズム２６後方のレンズの端は負レンズ２７のＨ方向（切除されていない部分）に近接する。このため、撮影レンズ１２を横長の姿勢に配置するときには、負レンズ２７または第２レンズ群Ｇ２のレンズ４２に切り欠きを設けることによって、第２レンズ群Ｇ２をプリズム２６に近接させることができるようになる距離は大きい。
【００４１】
なお、上述の実施形態では、プリズム２６の後方には移動群である第２レンズ群Ｇ２が配置される例を説明したがこれに限らない。例えば、プリズム２６の後方に固定レンズを配置しても良い。この場合、第１レンズ群Ｇ１は、プリズム２６後方に配置する固定レンズと、前述の負レンズ２７，プリズム２６とからなる。こうしてプリズム２６の後方に隣接して固定レンズを配置する場合には、プリズム２６前方の負レンズ２７とこの固定レンズの端が物理的に干渉し、撮影レンズの全長を短くすること困難にする。このため、こうしてプリズム２６の後方に固定レンズを配置する場合には、この固定レンズの外縁部分、またはプリズム２６前方の負レンズ２７の外縁部分の少なくともいずれか一方に上述の実施形態と同様の切り欠きを設ければ良い。
【００４２】
なお、上述の実施形態では、撮影レンズ１２が第１〜第４レンズ群２１〜２４から構成される例を説明したが、３以下のレンズ群によって撮影レンズを構成しても良く、５以上のレンズ群によって撮影レンズを構成しても良い。また、撮影レンズ１２を上述の実施形態のように４群構成にする場合にも、各レンズ群の構成は任意に定めることができる。例えば、上述の実施形態では、プリズム２６の前方に負レンズ２７が１枚のみ配置される例を説明したが、これに限らず、プリズム２６の前方に正負任意の屈折力のレンズを複数配置しても良い。
【００４３】
なお、上述の実施形態では、レンズの径に垂直な断面とレンズの光軸Ｌ０に垂直な断面が形成されるように、レンズの外縁部分を直角に切り欠いた切り欠き３６，４３の例を説明したが、プリズム２６前後のレンズの物理的な干渉を避け得る回転対称な形状であれば、切り欠き３６，４３の形状はこれに限らない。例えば、図６（Ａ）に示す切り欠き７１のように、レンズの外縁部分をテーパ状に斜めに切り欠いた形状でも良く、図６（Ｂ）に示す切り欠き７２のように、一定の曲率の断面となるような形状であっても良い。
【００４４】
なお、上述の実施形態では、レンズの全周に、切り欠き３６，４３を設ける例を説明したが、切り欠き３６，４３はレンズの外縁に沿った円状に設けられていれば良く、レンズ外縁の一部分に円弧状に切り欠きを設けるようにしても良い。例えば、レンズ外縁の１／２や１／４にだけ、円弧状に切り欠きを設けるようにしても良い。
【００４５】
以下、撮影レンズ１２の具体的な例を、実施例１〜４としてレンズデータ等を挙げて説明する。各実施例１〜４では、撮像素子１３の前面に配置されるカバーガラス３１を含め、レンズ等の各面を、被写体側から順に面番号ｉを用いて面Ｓｉで表す。また、面Ｓｉと、面Ｓｉの像側に隣接する面Ｓｉ＋１との光軸上の間隔をＤｉで表す。各実施例のレンズデータは、各面Ｓｉの曲率半径Ｒ（ｍｍ）、面間隔Ｄｉ（ｍｍ）、ｄ線に対する屈折率Ｎｄ，アッベ数νｄを表で示す。また、ズームに関するデータとして、広角端及び望遠端における焦点距離ｆ、ＦＮｏ．、画角２ω（度）、可変の面間隔（ｍｍ）を示す。なお、レンズデータにおいて＊で示す面は非球面であり、その具体的な形状は、非球面の深さＺ（ｍｍ）、光軸からレンズ面までの距離ｈ（ｍｍ）、円錐係数ＫＡ、近軸曲率ｃ、ｉ次の非球面係数ＲＡｉを用いて下記数１の式で表される。
【００４６】
【数１】
2011043679.tif 000003
【００４７】
［実施例１］
実施例１は、プリズムの前方に配置される負レンズのプリズム側に、外縁に沿った切り欠きを設けるとともに、プリズムの直後に移動レンズを配置した例である。図７に示すように、実施例１の撮影レンズ１１０は、第１〜第４レンズ群Ｇ１〜Ｇ４の４つのレンズ群からなる。図７（Ａ）は広角端における各レンズ群Ｇ１〜Ｇ４の配置を示し、図７（Ｂ）は望遠端における各レンズ群Ｇ１〜Ｇ４の配置を示す。また、実施例１の撮影レンズ１１０のレンズデータを表１に、ズームに関するデータを表２に、非球面係数を表３にそれぞれ示す。
【００４８】
【表１】
2011043679.tif 000004
【００４９】
【表２】
2011043679.tif 000005
【００５０】
【表３】
2011043679.tif 000006
【００５１】
図７及び表１〜３に示すとおり、第１レンズ群Ｇ１は、被写体側から順に、負の屈折力を有するレンズＬ１１と、プリズムＬ１２とからなり、第１レンズ群Ｇ１全体としての屈折力は負である。レンズＬ１１はプリズムＬ１２側に、外縁に沿った円状の切り欠き３６が設けられている。また、第１レンズ群Ｇ１は固定レンズ群であり、レンズＬ１１及びプリズムＬ１２はともに光軸Ｌ０に対して固定して配置される。
【００５２】
第２レンズ群Ｇ２は、プリズムＬ１２の後方に配置され、被写体側から順に配置されたレンズＬ２１，Ｌ２２の２つのレンズからなる。これらのレンズＬ２１，Ｌ２２の屈折力はどちらも正である。このため、第２レンズ群Ｇ２全体としての屈折力は正である。また、第２レンズ群Ｇ２は、光軸Ｌ０に沿って移動自在に設けられた移動レンズ群であり、広角端ではプリズムＬ１２から最も像側の位置に移動され、望遠端ではプリズムＬ１２に最も近接する位置に移動される。
【００５３】
第３レンズ群Ｇ３は、被写体側から順に絞りＬ３１，正の屈折力を有するレンズＬ３２，負の屈折力を有するＬ３３の３つの要素から構成され、第３レンズ群Ｇ３全体としての屈折力は負である。また、第３レンズ群Ｇ３は、光軸Ｌ０に沿って移動自在に設けられた移動レンズ群であり、広角端では最も像側の位置に移動され、望遠端で最もプリズムＬ１２側の位置に移動される。このように移動されることにより、第３レンズ群Ｇ３は、第２レンズ群Ｇ２とともに撮影レンズ１１０の変倍を担う。
【００５４】
第４レンズ群Ｇ４は、正の屈折力を有するレンズＬ４１からなる。このため、第４レンズ群Ｇ４の屈折力は正である。また、第４レンズ群Ｇ４は固定レンズ群であり、レンズＬ４１は光軸Ｌ０に対して固定して配置される。
【００５５】
なお、撮影レンズ１１０では、固定レンズであるレンズＬ１１にだけ切り欠き３６を設けたが、レンズＬ１１に切り欠き３６を設けるとともに、光軸Ｌ０に沿って移動自在に設けられたレンズＬ２１に切り欠きを設けても良い。例えば、図８に示す撮影レンズ１１１は、各レンズ群Ｇ１〜Ｇ４の構成や各レンズ面の形状（表１〜表３）は上述の実施例１の撮影レンズ１１０と同様であり、レンズＬ１１に切り欠き３６を設けるとともに、レンズＬ２１のプリズムＬ１２側に外縁に沿って切り欠き４３を設け、第２レンズ群Ｇ２が望遠端に移動されたときに、切り欠き３６に切り欠き４３が入り込むようにした点が前述の撮影レンズ１１０と異なる。このため、撮影レンズ１１０と撮影レンズ１１１とでは、レンズＬ１１に設けた切り欠き３６の深さが異なる。また、図８（Ａ）は広角端における各レンズ群Ｇ１〜Ｇ４の配置であり、図８（Ｂ）は望遠端における各レンズ群Ｇ１〜Ｇ４の配置である。
【００５６】
［実施例２］
実施例２は、プリズムの前方に配置される負レンズのプリズム側に、外縁に沿った円状の切り欠きを設けるとともに、プリズムの直後には固定レンズが配置する場合に適した例である。図９に示すように、実施例２の撮影レンズ１２０は、第１〜第４レンズ群Ｇ１〜Ｇ４の４つのレンズ群からなる。図９（Ａ）は広角端における各レンズ群Ｇ１〜Ｇ４の配置を示し、図９（Ｂ）は望遠端における各レンズ群Ｇ１〜Ｇ４の配置を示す。また、実施例２の撮影レンズ１２０のレンズデータを表４に、ズームに関するデータを表５に、非球面係数を表６にそれぞれ示す。
【００５７】
【表４】
2011043679.tif 000007
【００５８】
【表５】
2011043679.tif 000008
【００５９】
【表６】
2011043679.tif 000009
【００６０】
図９及び表４〜６に示すとおり、第１レンズ群Ｇ１は、被写体側から順に負の屈折力を有するレンズＬ１１と、プリズムＬ１２、負の屈折力を有するレンズＬ１３の３つの要素から構成され、第１レンズ群Ｇ１全体としての屈折力は負である。レンズＬ１１はプリズムＬ１２側に、外縁に沿った円状の切り欠き３６が設けられている。また、第１レンズ群Ｇ１は固定レンズ群であり、レンズＬ１１，プリズムＬ１２，レンズＬ１３はいずれも光軸Ｌ０に対して固定して配置される。
【００６１】
第２レンズ群Ｇ２は、レンズＬ１３の後方に配置され、被写体側から順に配置されたレンズＬ２１，Ｌ２２の２つのレンズからなる。これらのレンズＬ２１，２２の屈折力はどちらも正である。このため、第２レンズ群Ｇ２全体としての屈折力は正である。また、第２レンズ群Ｇ２は、光軸Ｌ０に沿って移動自在に設けられた移動レンズ群であり、広角端では最も像側の位置に移動され、望遠端ではレンズＬ１３に最も近接する位置に移動される。
【００６２】
第３レンズ群Ｇ３は、被写体側から順に、絞りＬ３１，負の屈折力を有するレンズＬ３２，Ｌ３３の３つの要素から構成される。このため、第３レンズ群Ｇ３全体としての屈折力は負である。また、第３レンズ群Ｇ３は、光軸Ｌ０に沿って移動自在に設けられた移動レンズ群であり、広角端では最も像側の位置に移動され、望遠端では最もレンズＬ１３に近接する位置に移動される。
【００６３】
第４レンズ群Ｇ４は、正の屈折力を有するレンズＬ４１からなる。このため、第４レンズ群Ｇ４の屈折力は正である。また、第４レンズ群Ｇ４は固定レンズ群であり、レンズＬ４１は光軸Ｌ０に対して固定して配置される。
【００６４】
［実施例３］
実施例３は、プリズムの後方に配置されるレンズのプリズム側に、外縁に沿った円状の切り欠きを設けるとともに、プリズムの直後に移動レンズを配置する場合に適した例である。図１０に示すように、実施例３の撮影レンズ１３０は、第１〜第４レンズ群Ｇ１〜Ｇ４からなる。図１０（Ａ）には広角端における各レンズ群Ｇ１〜Ｇ４の配置を示し、図１０（Ｂ）には望遠端における各レンズ群Ｇ１〜Ｇ４の配置を示す。また、実施例３の撮影レンズ１３０のレンズデータを表７に、ズームに関するデータを表８に、非球面係数を表９にそれぞれ示す。
【００６５】
【表７】
2011043679.tif 000010
【００６６】
【表８】
2011043679.tif 000011
【００６７】
【表９】
2011043679.tif 000012
【００６８】
図１０及び表７〜９に示すように、第１レンズ群Ｇ１は、被写体側から順に、負の屈折力を有するレンズＬ１１とプリズムＬ１２の２つの要素から構成され、第１レンズ群Ｇ１全体としての屈折力は負である。また、第１レンズ群Ｇ１は固定レンズ群であり、レンズＬ１１及びプリズムＬ１２は光軸Ｌ０に対して固定して配置される。
【００６９】
第２レンズ群Ｇ２は、プリズムＬ１２の後方に配置されたレンズＬ２１，Ｌ２２の２つのレンズからなる。これらのレンズＬ２１，Ｌ２２の屈折力はどちらも正である。このため、第２レンズ群Ｇ２全体としての屈折力は正である。また、レンズＬ２１のプリズムＬ１２側には、外縁に沿った円状の切り欠き４３が設けられている。また、第２レンズ群Ｇ２は、光軸Ｌ０に沿って移動自在に設けられた移動レンズ群であり、広角端では最も像側の位置に移動され、望遠端ではプリズムＬ１２に最も近接する位置に移動される。
【００７０】
第３レンズ群Ｇ３は、被写体側から順に、絞りＬ３１，正の屈折力を有するレンズＬ３２，負の屈折力を有するレンズＬ３３の３つの要素から構成され、第３レンズ群Ｇ３全体としての屈折力は負である。また、第３レンズ群Ｇ３は、光軸Ｌ０に沿って移動自在に設けられた移動レンズ群であり、広角端では最も像側の位置に移動され、望遠端で最もプリズムＬ１２側の位置に移動される。このように移動されることにより、第３レンズ群Ｇ３は、第２レンズ群Ｇ２とともに撮影レンズ１３０の変倍を担う。
【００７１】
第４レンズ群Ｇ４は、正の屈折力を有するレンズＬ４１からなる。このため、第４レンズ群Ｇ４の屈折力は正である。また、第４レンズ群Ｇ４は固定レンズ群であり、レンズＬ４１は光軸Ｌ０に対して固定して配置される。
【００７２】
［実施例４］
実施例４は、プリズムの前後に配置される両方のレンズのプリズム側に、外縁に沿って、円状の切り欠きを設け、プリズムの直後に複数の固定レンズを配置した例である。図１１に示すように、実施例４の撮影レンズ１４０は、第１〜第５レンズ群Ｇ１〜Ｇ５からなる。図１１（Ａ）には広角端における各レンズ群Ｇ１〜Ｇ５の配置を示し、図１１（Ｂ）には望遠端における各レンズ群Ｇ１〜Ｇ５の配置を示す。また、実施例４の撮影レンズ１４０のレンズデータを表１０に、ズームに関するデータを表１１に、非球面係数を表１２に示す。
【００７３】
【表１０】
2011043679.tif 000013
【００７４】
【表１１】
2011043679.tif 000014
【００７５】
【表１２】
2011043679.tif 000015
【００７６】
図１１及び表１０〜１２に示すように、第１レンズ群Ｇ１は、被写体側から順に、負の屈折力を有するレンズＬ１１，プリズムＬ１２，正の屈折力を有するレンズＬ１３，Ｌ１４の４つの要素から構成され、第１レンズ群Ｇ１全体としての屈折力は正である。レンズＬ１１のプリズムＬ１２側には、外縁に沿った円状の切り欠き３６が設けられ、レンズＬ１３のプリズムＬ１２側の外縁部分には同様の切り欠き４３が設けられている。また、第１レンズ群Ｇ１は固定レンズ群であり、レンズＬ１１，Ｌ１３，Ｌ１４及びプリズムＬ１２は光軸Ｌ０に対して固定して配置される。
【００７７】
第２レンズ群Ｇ２は、レンズＬ１４の後方に配置され、被写体側から順に、負の屈折力を有するレンズＬ１５と、負の屈折力を有するレンズＬ１６と正の屈折力を有するレンズＬ１７を面Ｄ１２で接合した接合レンズとからなる。第２レンズ群Ｇ２全体としての屈折力は負である。また、第２レンズ群Ｇ２は、光軸Ｌ０に沿って移動自在に設けられた移動レンズ群であり、広角端では最も被写体側の位置に移動され、望遠端では最も像側の位置に移動される。
【００７８】
第３レンズ群Ｇ３は、被写体側から順に、正の屈折力を有するレンズＬ３１と絞りＬ３２の２つの要素からなる。このため、第３レンズ群Ｇ３全体としての屈折力は正である。また、第３レンズ群Ｇ３は固定レンズ群であり、レンズＬ３１及び絞りＬ３２は光軸Ｌ０に対して固定して配置される。
【００７９】
第４レンズ群Ｇ４は、被写体側から順に、正の屈折力を有するレンズＬ４１，負の屈折力を有するレンズＬ４２，正の屈折力を有するレンズＬ４３からなり、第４レンズ群Ｇ４全体としての屈折力は正である。また、第４レンズ群Ｇ４は、光軸Ｌ０に沿って移動自在に設けられた移動レンズ群であり、広角端では最も像側の位置に移動され、望遠端では最も被写体側の位置に移動される。
【００８０】
第５レンズ群Ｇ５は、負の屈折力を有するレンズＬ５１からなる。このため、第５レンズ群Ｇ５の屈折力は負である。また、第５レンズ群Ｇ５は固定レンズ群であり、レンズＬ５１は光軸Ｌ０に対して固定して配置される。
【００８１】
なお、上述の実施例１〜４では、プリズムＬ１２の前後に隣接して配置されたレンズの外縁部分に切り欠きを設ける例を挙げたが、プリズムＬ１２の後方に配置されるレンズは、デジタルカメラ１１の厚さＷに合わせて撮影画面の光束が通過しない部分を適宜切除し、小判型等の非回転対称な外形にしても良い。また、最も被写体側に配置されるレンズＬ１１についても、撮影画面に応じて、小判型や長方形等の非回転対称な外形に形成しても良い。
【００８２】
なお、上述の実施形態及び実施例では、プリズムによって光路を折り曲げる例を説明したが、プリズムの替わりに反射鏡を用いても良い。
【符号の説明】
【００８３】
１１  デジタルカメラ（撮像装置）
１２，４１，４６，５１，１１０，１１１，１２０，１３０，１４０  撮影レンズ
１３  撮像素子
１４  撮像面
２６  プリズム（反射部材）
２７，５２，５６  負レンズ
２８  絞り
３１  カバーガラス
３２  撮像面
３６，４３，５６，７１，７２  切り欠き
３７ａ  断面
３７ｂ  断面
３８  支持部材
４２  レンズ
５３  撮影画面
５４ａ，５４ｂ  余剰部分
【図１】
2011043679.tif 000016
【図２】
2011043679.tif 000017
【図３】
2011043679.tif 000018
【図４】
2011043679.tif 000019
【図５】
2011043679.tif 000020
【図６】
2011043679.tif 000021
【図７】
2011043679.tif 000022
【図８】
2011043679.tif 000023
【図９】
2011043679.tif 000024
【図１０】
2011043679.tif 000025
【図１１】
2011043679.tif 000026